(57)【要約】      （修正有）【課題】妊娠の種々の段階の間、大きくなる腹部を覆い、それにフィットする衣類であり、衣類は上方で留まり、着用の間、快適にフィットする。更に、種々の体型にわたって着用する場合においても、上方で留まる衣類を提供する。【解決手段】腹部パネル１２４を有する衣類に関するものであって、その腹部パネルは、大きくなる腹部を覆い、それにフィットするように広がることができ、その衣類は、胴部包囲外周部１３４を有する衣類下側部分１０４を有し、その胴部包囲外周部は、腹部パネルが広がるように下方へ退く。妊娠の種々の段階の間および産後の体が変化する種々の段階の間、その衣類を着用することができる。【選択図】図１
2014148780.tif 000002
【特許請求の範囲】
【請求項１】
腹部パネル部が取り付けられてなる衣類部分であって、当該衣類部分は、伸縮可能な腹部パネルと、衣類下方部分とを備えており、
上記伸縮可能な腹部パネルは、着用者の胸部領域の真下から始まって、腹部領域を超え、腹下の下方腹部領域に至る腹部領域の全体を実質的に覆うものであり、
上記伸縮可能な腹部パネルは、着用者の上方腹部領域に、またはその上方に、第１胴部包囲外周部を規定する上端部と、当該上端部から距離を置いて、着用者の下方腹部領域の周囲に第２胴部包囲外周部を規定する下端部と、を備えており、
上記衣類下方部分が有する胴部包囲外周部は、上記下端部と接続されていて、上記腹部パネルの広がりを許容するよう下方に退く、衣類部分。
【請求項２】
上記下端部に取り付けられたズボンをさらに備える、請求項１記載の衣類部分。
【請求項３】
上記ズボンがデニムジーンズである、請求項２記載の衣類部分。
【請求項４】
上記デニムジーンズが、１または２以上のポケットと、縫製ジッパーレス比翼とを有している、請求項３記載の衣類部分。
【請求項５】
上記下端部に取り付けられたスカートをさらに備える、請求項１記載の衣類部分。
【請求項６】
上記腹部パネルは、着用者の腹部領域を、その重量が増加し、または減少する異なる段階に渡って覆う、請求項１記載の衣類部分。
【請求項７】
上記腹部パネルは、実質的に、異なる体型を覆い、それにフィットする、請求項１記載の衣類部分。
【請求項８】
上記腹部パネルは、弾性的に収縮が可能である、請求項１記載の衣類部分。
【請求項９】
上記腹部パネルには縫い目が存在せず、着用中に快適にフィットする、請求項１記載の衣類部分。
【請求項１０】
上記腹部パネルは、折り畳み可能であって、折り畳んだバンドを提供する、請求項１記載の衣類部分。
【請求項１１】
上記腹部パネルは、弾力性のある伸縮性ストランドで織って、または編んで構成されている、請求項１記載の衣類部分。
【請求項１２】
上記腹部パネルの上端マージンを折り返して、当該腹部パネルの内側に縫い付け、または編み付けている、請求項１記載の衣類部分。
【請求項１３】
上記腹部パネルは、二重層の環状構造体を有している、請求項１記載の衣類部分。
【請求項１４】
上記腹部パネルは部分的なウエストバンドをさらに有していて、当該部分的なウエストバンドは、上記下端部の後ろ側を横断して、当該下端部に接続された服地の側方縫目内にまで延在している、請求項１記載の衣類部分。
【請求項１５】
上記腹部パネルは、１または２以上のステッチまたは編んで作ったテンションで構成されて着用者の腹部領域をクレードルのように支持する支持体をさらに備えている、請求項１記載の衣類部分。
【請求項１６】
上記下端部は、着用者の大きくなる腹部を収容するよう、放物形に下方へ突き出る形状とされている、請求項１記載の衣類部分。
【請求項１７】
上記ステッチまたは編んで作ったテンションは、湾曲した腹部をクレードルのように支持するよう湾曲した楕円パターンとされた複数の経路に沿って延在している、請求項１５記載の衣類部分。
【請求項１８】
背面に一連のステッチまたは編んで作ったテンションをさらに備えており、これによって、着用者の脊柱および背中を支持している、請求項１記載の衣類部分。
【請求項１９】
上記一連のステッチまたは編んで作ったテンションは、複数の経路を有するパターンで延在している、請求項１８記載の衣類部分。
【請求項２０】
上記腹部パネルは、双曲面を成す円筒状に形成された管状構造体を規定していて、次第に細くなる胴体を有する体型にフィットする、請求項１記載の衣類部分。
【請求項２１】
上記腹部パネルは、側面が真っ直ぐな円筒状に形成された管状構造体を規定していて、それに対応する胴体を有する体型にフィットする、請求項１記載の衣類部分。
【請求項２２】
上記一連のステッチまたは編んで作ったテンションは、上記背面に沿って実質的に鉛直方向に延在する軸に沿って、双曲パターン、湾曲パターン、または先端を切り取ったｖ字パターンにグループ化された複数の経路で延在している、請求項１８記載の衣類部分。
【請求項２３】
上記腹部パネルは、上記二重層の環状構造体の二つの層の間に、伸縮可能な布帛で構成される内層をさらに備える、請求項１３記載の衣類部分。
【請求項２４】
上記腹部パネルは布帛を備えており、当該布帛は、後下方へ折り返されて二層環状構造とされており、当該二層環状構造は、上記腹部パネルの少なくとも一部に向かって下方へ延在しており、
二層環状構造を構成する各層は、管状周囲ドロップステッチに縫い合わされている、請求項１記載の衣類部分。
【請求項２５】
上記腹部パネルの端部マージンを折り返して、上記布帛の内側に縫い付け、または編み付けをし、これによって管状周囲縁ステッチを構成している、請求項２４記載の衣類部分。
【請求項２６】
上記腹部パネルを上記衣類下方部分へ向けて折り畳むことで、当該衣類下方部分上に折り畳んだバンドを構成することができ、上部の無い下部衣類として着用できる、請求項１記載の衣類部分。
【請求項２７】
上記腹部パネルは、少なくとも部分的に着用者の腹部下方にまで延在して、上記下端部の放物形に下方へ突き出る形状部分に連なる、請求項１６記載の衣類部分。
【発明の詳細な説明】
【技術分野】
【０００１】
本発明の分野
本発明は、妊娠の種々の段階の間および産後の体が変化する種々の段階の間、着用される衣類に関する。
【発明の概要】
【発明が解決しようとする課題】
【０００２】
本発明の背景
妊娠の種々の段階の間、着用者の体を腹部またはへそより下で覆うことを目的とする衣類は、編物または織物の繊維製品として製造されてきた。編物または織物の衣類のあるものは、体の周りで締め付ける時、不快感を引き起こす弾性ベルトまたはウエストバンドを有するように構成される。ある衣類は、縫着縫い目によって所定の場所に縫い付けられた伸縮性布帛パネルを有する。そのような衣類は、胴体を圧迫するパネルの弾性伸張によって促される、縫着縫い目の存在による不快感を引き起こす。更に、そのような衣類を着用している間、それらは徐々に下方へ滑り、それらが所定の状態に保持されにくいことに、女性たちは不満を感じてきた。
【０００３】
デニムジーンズまたはズボンの前側のウエストバンドを除去し、それを、大きくなる腹部を支える弾性バンドと置き換えることによって、デニムジーンズまたはズボンがリサイクルされている。あるいは、前側のウエストバンド無しに、デニムジーンズまたはズボンを製造し、別のバンドを前側に取り付けることができる。
【０００４】
従って、必要とされているのは、妊娠の種々の段階の間、大きくなる腹部を覆い、それにフィットする衣類である。そのような衣類は上方で留まる必要があり、望ましくは、着用の間、快適にフィットする。更に、種々の体型にわたって着用する場合、そのような衣類は上方で留まる。
【課題を解決するための手段】
【０００５】
本発明の概要
大きくなる腹部を覆いフィットするように広がることができる腹部パネルを有する衣類上側部分；および腹部パネルが広がるように下方へ退く胴部包囲外周部を有する衣類下側部分を、衣類は有して成る。
【０００６】
衣類の１つの態様は、弾性的に収縮可能な腹部パネルを有して、小さくなる腹部を覆う。１つの態様は、弾性的に収縮可能な弾性布帛を有して、出産後の体が変化する種々の段階の間、腹部を覆う。
【０００７】
衣類の１つの態様は、縫い目がなくて、着用している間、快適にフィットする、衣類の広がることができる管状上側部分を有する。
【０００８】
腹部パネルを有する衣類上側部分の１つの態様は、衣類下側部分に向かって折り畳むことができ、折り畳んだバンドを有する。
【図面の簡単な説明】
【０００９】
【図１】図１は、本発明に基づく衣類の正面図である。
【００１０】
【図１Ａ】図１Ａは、図１に類似する図面で、大きくなる腹部を覆う胴体パネルを開示する。
【００１１】
【図２】図２は、図１によって開示する衣類の後側部分の図面である。
【００１２】
【図３】図３は、衣類のもう１つの態様の前側部分の図面である。
【００１３】
【図４】図４は、衣類のもう１つの態様の後側部分の図面である。
【００１４】
【図５】図５は、衣類の更なるもう１つの態様の後側部分の図面である。
【００１５】
【図６】図６は、衣類のもう１つの態様の一部の正面図である。
【００１６】
【図７】図７は、衣類の更にもう１つの態様の一部の正面図である。
【発明を実施するための形態】
【００１７】
発明の詳細な説明
図１は、衣類１００の着用者の下側胴体部分を取り囲むための衣類１００を開示する。衣類１００は、衣類上側部分１０２および衣類下側部分１０４を有する。衣類上側部分１０２の下端周囲部１０６は、衣類下側部分１０４の対応する上端周囲部１０８に取り付けられている。衣類下側部分１０４は、デニムジーンズのような例えばズボンである。別の態様において、衣類下側部分１０４は、図１にて仮想線で描いたスカートである。
【００１８】
図１および図２を参照して、ズボンの各脚を縫い合わせて作り上げる。外側の縫い目１１０、１１２は、ズボンの上部から下部まで、または衣類下側部分１０４にて連続的に伸びる。更に、内側の縫い目１１４、１１６が、ズボンの前側の中央縫い目１１８と、図２に示すズボンの後ろ側の湾曲した中央縫い目２００とを接続して、それぞれの脚部を構成する。例えば、前側の中央縫い目１０６は、縫製「ジッパーレス」比翼仕立てを規定する。外側縫い目１１０、１１２から後ろ側の中央縫い目２００まで、ズボンの後ろ側を横断して水平に伸びる後ろ側の周囲縫い目２０２によって、図２に示すズボンの後ろ側を縫い合わせる。ポケットを必要とするならば、ズボンの脚部を、例えば、前側ポケット１２０、１２２および後ろ側ポケット２０４、２０６を有するように構成する。
【００１９】
図２は、ズボン、または衣類下側部分１０４の１つの態様を示し、これは、ズボンの側方縫い目１１０，１１２から伸びて、ズボンまたは衣類下側部分１０４の後ろ側を横断して伸び接続する、部分的なウエストバンド２０８を有する。ウエストバンド２０８を後ろ側の周囲縫い目２０２に縫い付ける。特に座ったり、曲げたりする場合、胴体を覆うために、ウエストバンド２０８は、側方縫い目１１０、１１２に向かって先細り、後ろ側を横断して幅広くなり、中央縫い目２１０を有して、着用者の骨盤の上で湾曲するウエストバンド２０８を形作る。
【００２０】
図１にて、衣類上側部分１０２は、腹部パネル１２４を有して、腹部被覆領域を提供する。腹部パネル１２４は、例えば、伸縮性布帛で作る場合、広がることができ、図１Ａに示すように、妊娠の種々の段階の間、大きくなる腹部を覆い、フィットする。特に、大きくなる腹部を覆う場合、図１Ａに示すように、腹部パネル１２４は、放物形に（パラボラ状に）下方へ突き出る下部１２８を有する。衣類下側部分１０４の周囲部１０８は、腹部パネル１２４の下部１２８に隣接してその下に、放物形に下方へ退く第１胴部包囲外周部１２６を提供し、妊娠の様々な段階の間、大きくなる腹部を覆う場合、腹部パネル１２４が広がるようにする。放物形は、浅い湾曲を含み、あるいは別の態様においては、より顕著な湾曲を含む。腹部パネル１２４は、衣類の着用者の腹部の下で少なくとも部分的に広がり、腹部パネル１２４の下部１２８を、衣類下側部分１０４の放物形に退く外周部１２６と合わせてつなぐ。
【００２１】
本発明の１つの態様によれば、少なくとも腹部パネル１２４は、弾力性のある伸縮性ストランドで織ったまたは編んだ伸縮性布帛で形成される。伸縮性布帛は、図１Ａに示すように、弾性的に伸縮することにより広がることができ、大きくなる腹部を覆い、それにフィットする。更に、伸縮性布帛は、弾性的に収縮することができ、産後の体が変化する種々の段階の間、小さくなる腹部を覆う。腹部パネル１２４は、予見可能な別の機能も有し、例えば、胴部の重量の増加および減少の種々の段階の間、腹部を覆う機能、あるいは種々の体型の各々の胴体にフィットする機能を有する。
【００２２】
図１および図２にて衣類上側部分は、伸縮性布帛の上部縁端部を折り畳み、布帛の内側表面に折り畳んだ布帛を管状に編んでまたは縫って、図１にて開示する上部外周の編んで作った縁ステッチ１３２を作ることによって作った、上部管状周囲縁部１３０を有する。衣類上側部分１０２の周囲部は、胴部包囲外周部１３４を有し、衣類１００を胴体上で適所に保持する。有利には、衣類１００全体を上方で適所に保持する。衣類上側部分１０２の１つの態様は、伸縮性布帛を含み、種々の体型に合わせて第２胴部包囲外周部１３４の長さを調節する。本発明の１つの態様によれば、胴部包囲外周部１３４は、腹部パネル１２４の上側端部に沿って延在する。図１Ａにおいて、妊娠の後期の間であっても、腹部パネル１２４は、最長の腹囲の少なくともいくらか上側で延在することで、腹部パネル１２４は、胴部包囲外周部１３４を最長の腹囲の箇所より少なくともいくらか上方で配置し、腹部上を下方へ滑ることに抗する。
【００２３】
衣類上側部分１０２の１つの態様は管状構造体を有し、衣類１００の着用者の胴部を取り囲む。管状構造体は、弾力性のある伸縮性ストランドで織ったまたは編んだ伸縮性布帛でできている。腹部パネル１２４は、伸縮性布帛の部分を有する。管状構造体は、弾性的に伸張および収縮可能であることによって、種々の体型を覆い、それにフィットするように適応できる。種々の体型は、異なる筋肉量分布および異なる湾曲の脊柱を有し、そのことは、種々の体型によって着用される場合、異なる箇所および量で伸張および収縮することによって、管状構造体を種々の体型に一致させる。管状構造体は弾性的に広がることができて、体型にフィットするのに必要な選択箇所および選択量にて管状周囲部を広げ、かつ弾性的に収縮することができて、体型にフィットするのに必要な選択箇所および選択量にて管状周囲部を狭める。
【００２４】
図１および図２において、管状構造体を一葉双曲面の円筒として成形および形成し、およそ肩からウエストへ次第に細くなる先細の胴体を有する体型にフィットするようにする。一葉双曲面の円筒の周囲プロファイルは、双曲面形状の側面を有する。別の態様において、例えば、図６に開示されるように、側面が真っ直ぐな円筒として管状構造体を成形および形成する。側面が真っ直ぐな円筒の周囲プロファイルは、実質的に真っ直ぐな側面を有する。
【００２５】
連続的で、縫い目のない管状構造体を形成するように、伸縮性布帛を織るまたは編むことが好ましく、胴体を押圧しがちな縫い目が存在しないため、衣類１００は着心地がよい。
【００２６】
図３は、衣類上側部分１０２に、腹部パネル１２４の３００、３０２、３０４、３０６、３０８、３１０、３１２および３１４にて、一連の縫って作ったステッチまたは編んで作ったテンションの形態の腹部の支持体（クレードル状支持体）を設けている、もう１つの態様を開示する。編んで作ったテンションまたはステッチは、妊娠の様々な段階の間、図１Ａに示すように、湾曲した大きくなる腹部を支えるように湾曲する、楕円状にグループ化した多数ステッチパスに沿って延在する。
【００２７】
図４は、衣類上側部分１０２の後側に、布帛における４００、４０２、４０４、４０６、４０８、４１０、４１２、４１４、４１６、４１８の一連の縫って作った支持ステッチまたは編んで作ったテンションの形態で、衣類の着用者のために脊柱支持部および背中支持部を設けているもう１つの態様を開示し、その支持するための編んで作ったテンションまたはステッチは、衣類上側部分１０２の後側にて布帛を強固にし、衣類１００の着用者の背骨および背中の支持部を提供する。例えば、一連の支持ステッチを、布帛の背骨支持領域に沿って実質的に垂直に伸びる軸に沿う双曲線パターン、あるいは他の湾曲パターンでグループ化した多数のステッチパスに沿って配置する。図５は、布帛における支持ステッチ５００、５０２、５０４、５０６、５０８、５１０、５１２、５１４の別のパターンを開示し、その支持ステッチは多数のステッチパスに沿って配置されている。例えば、ステッチパスを、先端を切り取ったｖ字形パターン（ｔｒｕｎｃａｔｅｄ  ｖ−ｓｈａｐｅｄ  ｐａｔｔｅｒｎ）でグループ化したものとして示す。
【００２８】
図６は、布帛織物または編物を有して管状構造体を形成する衣類上側部分１０２を開示しており、その管状構造体の布帛は、その上部外周部１３４から下方へ折り返されて、衣類上側部分１０２の少なくとも一部で下方へ延在する二重層の管状構造体６００を形成する。二重層の管状構造体６００の層を、管状周囲ドロップステッチ６０２で互いに縫い合わせる。その層を、図１にて説明する上部管状周囲縁ステッチ１３２で更に縫い合わせる。図６によって開示する別の態様において、ステッチ１３２、６０２の間で、それらによって仮想輪郭で示される伸縮性布帛６０４の内部管状層上へ布帛を折り返し、布帛を平坦に重ねて、二重層布帛の２つの管状層の間で縫い合わせる。３つの管状層を、上部の管状周囲ドロップステッチ６０２および図１にて説明する上部の管状周囲縁ステッチ１３２で互いに縫い合わせる。伸縮性布帛の内部層６０４は、弾性的に広がる能力を腹部パネル１２４に提供する。もう１つの態様において、二重層の布帛は、弾性的に伸張および収縮可能な糸で織ったまたは編んだ伸張布帛を含み、弾性的に広がる能力を腹部パネルに提供する。
【００２９】
図７は、図６の衣類１００が上部衣類を有さず、下部衣類を有するように変更できることを開示しており、衣類上側部分１０２を衣類下側部分１０４の方へ折り畳めて、その衣類下側部分１０４上で折り畳んだバンド７００を提供し、その衣類１００は、上部衣類を有さず、折り畳んだバンド７００を有する衣類下部１０４のみとして着用されることになる。衣類１００の他の態様のそれぞれを同様に変更することができ、衣類１００の他の態様の上側衣類部分１０２に伸縮性布帛６０４を付与し、衣類上側部分１０２を衣類下側部分１０４の方へ折り畳むことによって、衣類１００の他の態様の衣類下側部分１０４上で折り畳んだバンド７００を提供する。
【００３０】
典型的な態様の本明細書は、添付図面に関連して読むことが意図されており、添付図面は、記載した明細書の全体の一部として見なされるべきである。明細書において、例えば、「下側」、「上側」、「水平な」、「垂直な」、「上で」、「下で」、「上へ」、「下へ」、「上部」および「下部」ならびにそれらの派生語（例えば、「水平に」、「下方へ」、「上方へ」など）のような相対的な用語は、そこで説明される、または議論になっている図面にて示される方向を参照して、解釈されるべきである。これらの相対的な用語は、説明の便宜上のものであって、装置を特定の方向で構成するまたは作動させる必要はない。取り付けおよび結合などに関する用語、例えば、「接続」および「相互接続」は関係性を意味し、他に特別な説明がない限り、そこでは、双方の可動式または固定式の取り付けまたは関係と同様に、構造体を介在させることによって、構造体を互いに直接的または間接的に固定または取り付けている。
【００３１】
本発明を典型的な態様に関して説明してきたが、そこに限定されない。むしろ、添付の請求項は広く解釈されるべきで、本発明の同等の概念および範囲から逸脱せずに、当該技術分野の当業者が行なうことができる、本発明の他の変化形および態様を含む。
【図１】
2014148780.tif 000003
【図１Ａ】
2014148780.tif 000004
【図２】
2014148780.tif 000005
【図３】
2014148780.tif 000006
【図４】
2014148780.tif 000007
【図５】
2014148780.tif 000008
【図６】
2014148780.tif 000009
【図７】
2014148780.tif 000010
【外国語明細書】
2014148780.tif 000011
2014148780.tif 000012
2014148780.tif 000013
2014148780.tif 000014
2014148780.tif 000015
2014148780.tif 000016
2014148780.tif 000017
2014148780.tif 000018
2014148780.tif 000019
2014148780.tif 000020
2014148780.tif 000021
2014148780.tif 000022
2014148780.tif 000023
2014148780.tif 000024
2014148780.tif 000025
2014148780.tif 000026
2014148780.tif 000027
2014148780.tif 000028